(57)【要約】【課題】動作ムラ及び輝度バラツキ等を改善することができるＦＦＳ（Ｆｒｉｎｇｅ  Ｆｉｅｌｄ  Ｓｗｉｔｃｈｉｎｇ）モードの液晶表示装置を提供する。【解決手段】本発明に係るＦＦＳモードの液晶表示装置は、下部基板及び上部基板と、前記下部基板上に形成されたゲートライン及び前記ゲートラインと直交するデータラインと、前記ゲートラインとデータラインによって定義される領域に形成された第１のＩＴＯ電極と、前記下部基板上に形成され、前記第１のＩＴＯ電極と重なる櫛の歯の形態の第２のＩＴＯ電極と、前記上部基板上に形成されたブラックマトリックスとを含んで成るＦＦＳモードの液晶表示装置において、前記第２のＩＴＯ電極の楔部をブラックマトリックスの縁部から一定の長さだけ内側に離隔するように形成されることを特徴とする。【選択図】図４
2005070747.tif 000002
【特許請求の範囲】
【請求項１】
下部基板と上部基板と、
前記下部基板上に形成されたゲートラインと、
前記ゲートラインと直交するデータラインと、
前記ゲートラインとデータラインによって定義される領域に形成された第１のＩＴＯ電極と、
前記下部基板上に形成され、前記第１のＩＴＯ電極と重なる櫛の歯の形態の第２のＩＴＯ電極と、
前記上部基板上に形成されたブラックマトリックスとを含んで成るＦＦＳモードの液晶表示装置であって、
前記第２のＩＴＯ電極の楔部はブラックマトリックスの縁部から一定の長さだけ内側に離隔するように形成されていることを特徴とするＦＦＳモードの液晶表示装置。
【請求項２】
前記第２のＩＴＯ電極の楔部をブラックマトリックスの縁部から少なくとも０．５μ以上内側に離隔するように形成することを特徴とする請求項１記載のＦＦＳモードの液晶表示装置。
【請求項３】
前記ブラックマトリックスは導電性を有する物質からなり、かつ、その抵抗が１×１０Ｅ２Ωｃｍ〜１×１０Ｅ７Ωｃｍであることを特徴とする請求項１記載のＦＦＳモードの液晶表示装置。
【請求項４】
前記第２のＩＴＯ電極の楔部側に位置する電極は交互に切れている形態に形成されることを特徴とする請求項１記載のＦＦＳモードの液晶表示装置。
【請求項５】
前記第２のＩＴＯ電極の楔部側に位置する電極は交互に位置がずれている形態に形成されていることを特徴とする請求項１記載のＦＦＳモードの液晶表示装置。
【請求項６】
前記ブラックマトリックスの幅は、２２μｍ以下であり、また、前記第２のＩＴＯ電極はデータライン部に対して対称に形成されることを特徴とする請求項１記載のＦＦＳモードの液晶表示装置。
【発明の詳細な説明】
【技術分野】
【０００１】
本発明は、ＦＦＳ（Ｆｒｉｎｇｅ  Ｆｉｅｌｄ  Ｓｗｉｔｃｈｎｇ）モードの液晶表示装置に関し、より詳細には、動作ムラ及び輝度バラツキ等を改善することができるＦＦＳモードの液晶表示装置に関する。
【背景技術】
【０００２】
従来のウルトラ（ｕｌｔｒａ）−ＦＦＳモード液晶表示装置の製造方法について、図１及び図２を参照して説明する。ここで、図１は、従来のウルトラ（ｕｌｔｒａ）−ＦＦＳモード液晶表示装置の平面図であり、図２はその断面図である。
従来の技術に係るウルトラ−ＦＦＳ液晶表示装置は、図１及び図２に示すように、下部基板１０上にゲートライン１１とゲートライン１１と直交するようにデータライン１５を配列した後、ゲートライン１１とデータライン１５によって定義される領域に第１のＩＴＯ電極１７を配置し、次に第１のＩＴＯ電極１７と重なる画素電極用第２のＩＴＯ電極１９を櫛の歯形状の形態に形成し、液晶の配向を０度に構成している。なお、櫛の歯形状は、画素電極用第２のＩＴＯ電極１９のデータライン１５に沿う部分の形状をいう。また、櫛の歯の付け根の部分で、歯に挟まれた電極の無い部分の形状を楔部という。
【０００３】
また、図２に示すように、下部基板１０と対向するように一定間隔だけ離隔するように上部基板２０が配列され、上部基板２０にはブラックマトリックス（ＢＭ）２１が形成されている。ここで、ブラックマトリックス（ＢＭ）２１と重なる画素電極用第２のＩＴＯ電極１９は更にブラックマトリックス２１の縁部から“ａ”長さだけ側方に延長されている（例えば、特許文献１参照）。
【０００４】
このような構成により電界による液晶の捩れが上側（カラーフィルタ基板）と下側（アレイ基板）とが逆方向となるようにして液晶の誘電率異方性による青（ｂｌｕｉｓｈ）、黄（ｙｅｌｌｏｗｉｓｈ）への色度の移動を補償するように構成されている。
しかし、このような方法によるＦＦＳモードは、電極間の重なり領域が非常に広くて長時間の電気的動作による絶縁膜等の劣化により残像が良くないという短所がある。
このような短所の改善のため、多様な電極形状と構造変更等が研究されて来た。しかし、従来の設計によるＦＦＳピクセルは実際の透過領域とＢＭの位置関係において、ピクセル電極（画素電極）の楔部（ｐｉｘｅｌ  ｗｅｄｇｅ）の形状及び位置がＢＭでない実際の透過領域に位置している。
このようなピクセル電極の楔部とＢＭとの位置関係により透過率の低減及び輝度バラツキ（即ち、ピクセル電極の楔部とＢＭとの相互作用による特性の変化）等が製品の特性を低下させて来た。
【特許文献１】特開２００３−２３３０８３号公報
【発明の開示】
【発明が解決しようとする課題】
【０００５】
本発明は、従来技術の問題に鑑みて案出されたものであり、ＦＦＳのデザイン構造から与えられるブラックマトリックス（ＢＭ）と画素電極との相互作用を新たな概念に切換えて、従来のＦＦＳから問題となる動作ムラ及び輝度バラツキ等を改善することができるＦＦＳモードの液晶表示装置を提供することを目的とする。
【課題を解決するための手段】
【０００６】
前記の目的を達成するための本発明に係るＦＦＳモードの液晶表示装置は、下部基板と上部基板と、前記下部基板上に形成されたゲートラインと前記ゲートラインと直交するデータラインと、前記ゲートラインとデータラインによって定義される領域に形成された第１のＩＴＯ電極と、前記下部基板上に形成され、前記第１のＩＴＯ電極と重なる櫛の歯の形態の第２のＩＴＯ電極と、前記上部基板上に形成されたブラックマトリックスとを含んで成るＦＦＳモードの液晶表示装置であって、
前記第２のＩＴＯ電極の楔部をブラックマトリックスの縁部から一定の長さだけ内側に離隔するように形成されていることを特徴とする。
【発明の効果】
【０００７】
本発明に係るＦＦＳ液晶表示装置によると、従来の楔位置と形態を変更してブラックマトリックスと画素電極の楔との間の電界干渉により生じる液晶の歪み（ｄｉｓｔｏｒｔｉｏｎ）を改善するために、ブラックマトリックス（ＢＭ）と画素電極の楔部及び斜線型電極の位置を導電性ＢＭの内側に位置させながら液晶の偏光効率を改善させ、楔部のグレー領域により生じたムラ（輝度バラツキ）と残像（動作不安定）を改善することができる。
【発明を実施するための最良の形態】
【０００８】
以下、本発明に係るＦＦＳモードの液晶表示装置について、図面を参照しながら詳細に説明する。
図３は、本発明の一実施の形態に係るＦＦＳ液晶表示装置のレイアウト図であり、図４は、本発明の一実施の形態に係るＦＦＳ液晶表示装置の断面図である。
図５及び図６は、本発明の別の実施の形態に係るＦＦＳモードの液晶表示装置を示すものであって、楔の電極を交互に無くして液晶歪みを改善する実施の形態を示す概略図である。
【０００９】
本発明に係る一実施の形態に係るＦＦＳ液晶表示装置は、図３及び図４に示すように、下部基板３０上にゲートライン３１とゲートライン３１と直交するようにデータライン３５を配列した後、ゲートライン３１とデータライン３５によって定義される領域に第１のＩＴＯ電極３７を配列し、次に第１のＩＴＯ電極３７と重なる画素電極用第２のＩＴＯ電極３９を櫛の歯形状の形態に形成し、液晶の配向を０度に構成する。
【００１０】
また、図４に示すように、下部基板３０と対向するように一定間隔だけ離隔するように上部基板４０が配列され、上部基板４０にはブラックマトリックス（ＢＭ）４１が形成され、その幅Ｗは２２μｍ以下であることが好ましい。ブラックマトリックス４１は導電性物質で形成され、その導電率は１×１０Ｅ２Ωｃｍ〜１×１０Ｅ７Ωｃｍであることが好ましい。
【００１１】
ここで、前記ブラックマトリックス（ＢＭ）４１と重なる画素電極用第２のＩＴＯ電極３９は従来技術の場合とは異にし、ブラックマトリックス４１の端から“ｂ”の長さだけ内側に離隔するように形成されている。”ｂ”の値は０．５μｍ以上であることが好ましい。
また、画素電極用第２のＩＴＯ電極３９はデータライン３５に対して対称に形成されることが好ましい。
【００１２】
図５または図６は本発明の別の実施の形態である。
図５に示す実施の形態では、画素電極用第２のＩＴＯ電極５９の楔部側の電極を交互に切れている形状に形成している。ブラックマトリックスは６１である。
また、図６に示す実施の形態では、画素電極用第２のＩＴＯ電極６９の楔部側の電極を交互に位置をずらした形態（ｂｕｍｐｙ  ｓｈａｐｅ）に形成している。ブラックマトリックスは７１である。
画素電極用第２のＩＴＯ電極６９の楔部を図５、図６の形態に形成することにより、液晶の歪を改善できる。
【００１３】
本発明に係る実施の形態は、当業者であれば本発明の特許請求の範囲に記載の技術的範囲内で多様な変更実施が可能である。
【図面の簡単な説明】
【００１４】
【図１】従来のウルトラ（ｕｌｔｒａ）−ＦＦＳモード液晶表示装置の平面図である。
【図２】従来のウルトラ（ｕｌｔｒａ）−ＦＦＳモード液晶表示装置の断面図である。
【図３】本発明の実施の形態に係るＦＦＳモード液晶表示装置の平面図である。
【図４】本発明の実施の形態に係るＦＦＳモード液晶表示装置の断面図である。
【図５】本発明の別の実施の形態に係るＦＦＳモード液晶表示装置の説明図である。
【図６】本発明の別の実施の形態に係るＦＦＳモード液晶表示装置の説明図である。
【符号の説明】
【００１５】
３０    下部基板
３１    ゲートライン
３５    データライン
３７    第１のＩＴＯ電極
３９    第２のＩＴＯ電極
４０    上部基板
４１    ブラックマトリックス（ＢＭ）
Ｂ      画素電極幅
ｂ      ブラックマトリックスと画素電極との間の距離
Ｃ      データライン幅
Ｗ      ブラックマトリックス幅
【図１】
2005070747.tif 000003
【図２】
2005070747.tif 000004
【図３】
2005070747.tif 000005
【図４】
2005070747.tif 000006
【図５】
2005070747.tif 000007
【図６】
2005070747.tif 000008